(57)【特許請求の範囲】
【請求項１】
ディスプレイ(10)を具えた第１キャビネット(１)と、操作釦(20)を具えた第２キャビネット(２)をヒンジ部(４)で接続し、第２キャビネット(２)には第１キャビネット(１)が開位置よりも開くことを規制するストッパ(５)が設けられ、
第２キャビネット(２)にはアンテナ部(３)が設けられて、該アンテナ部(３)は開位置よりも更に開く向きに撓んだ第１キャビネット(１)を受けることを特徴とする携帯電話機。
【請求項２】
第１キャビネット(１)とアンテナ部(３)は先端に向かって互いに広がる向きに配備された請求項１に記載の携帯電話機。
【発明の詳細な説明】
【０００１】
【発明の属する技術分野】
本発明は、ディスプレイを具えた第１キャビネットと、操作釦を具えた第２キャビネットをヒンジ接続し、折畳み可能な携帯電話機に関する。
【０００２】
【従来の技術】
図３は、従来の携帯電話機の側面図である。携帯電話機は、ディスプレイ（１０）を具えた第１キャビネット（１）と、操作釦（２０）を具えた第２キャビネット（２）をヒンジ部（４）で接続している。図３に実線で示すように、両キャビネット（１）（２）が開いた開位置と、図３に点線で示すように両キャビネット（１）（２）が閉じた閉位置との間を回動自在に設けられる。携帯電話機は、閉位置にて携帯され、通話時に開位置に開かれる。
第２キャビネット（２）には、開位置の第１キャビネット（１）に接するストッパ（５）が設けられ、該ストッパ（５）は両キャビネット（１）（２）が通話時に開位置よりも開くことを規制している。尚、ストッパ（５）はキャビネット（１）（２）の何れに設けられてもよい。第１キャビネット（１）の先端部には、小筒体（３１）及び該小筒体（３１）から出没するアンテナ（３０）が設けられ、以下の記載では小筒体（３１）とアンテナ（３０）をアンテナ部（３）と称する。
図４は、図３の平面図である。第２キャビネット（２）の端部には、凹部（２１）及び該凹部（２１）の両側に位置する突片（２２）（２２）が形成されている。両キャビネット（１）（２）のヒンジ部（４）は、第１キャビネット（１）の端部に設けられた突部（１１）を、第２キャビネット（２）の凹部（２１）に嵌め、突片（２２）（２２）の外側から枢軸（４０）（４０）を突片（２２）（２２）及び突部（１１）に挿入して形成される。
【０００３】
【発明が解決しようとする課題】
図３に示すように、開位置にて机上又は床面に置かれた携帯電話機に対し、使用者の不注意により、第１キャビネット（１）の先端部の上から荷重を不用意に加えることがある。第１キャビネット（１）はストッパ（５）に接した位置から更に開く向きに撓む。
この場合、第１キャビネット（１）にはストッパ（５）を支点として時計方向に回転する向きの力が加わり、突部（１１）が外向きに引っ張られる。突部（１１）に嵌まった枢軸（４０）が引っ張られ、第２キャビネット（２）の突片（２２）（２２）は図４に一点鎖線で示すように側方に撓む。この結果、ヒンジ部（４）が破損し、両キャビネット（１）（２）が正確に回動しなくなる虞れがある。
携帯電話機には、図６に示すように、第２キャビネット（２）からアンテナ部（３）を突出し、第２キャビネット（２）の底面から、ヒンジ部（４）までの高さｅが高いものがある。又、図７に示すように、ヒンジ部（４）を幅狭に設け、第２キャビネット（２）に設けたアンテナ部（３）を、第２キャビネット（２）の側面とヒンジ部（４）との間の空間内に配置したものもある。このような携帯電話機に於いても、開位置にて第１キャビネット（１）の上から荷重を不用意に加えることにより、ヒンジ部（４）が破損する虞れがある。特に、図５に示すように、両キャビネット（１）（２）を傾けて配備し、ヒンジ部（４）の下側が解放された状態にて、両キャビネット（１）（２）を開く向きの荷重が上から加わると、ヒンジ部（４）が破損し易い。
本発明の目的は、開位置にある両キャビネットを更に開く向きの荷重が、両キャビネットに不用意に加わっても、ヒンジ部が破損することを防止することにある。即ち、突片（２２）（２２）が破損する前に、第１キャビネット（１）がアンテナ部（３）に当たるような高さｅ（図６参照）にすることが本発明である。
【０００４】
【課題を解決する為の手段】
携帯電話機は、ディスプレイ(10)を具えた第１キャビネット(１)と、操作釦(20)を具えた第２キャビネット(２)をヒンジ部(４)で接続し、第２キャビネット(２)には第１キャビネット(１)が開位置よりも開くことを規制するストッパ(５)が設けられている。第２キャビネット(２)にはアンテナ部(３)が設けられて、該アンテナ部(３)は開位置よりも更に開く向きに撓んだ第１キャビネット(１)を受ける。
【０００５】
【作用及び効果】
開位置にある両キャビネット（１）（２）を更に開くような荷重が、キャビネット（１）（２）に不用意に加わると、第１キャビネット（１）は開位置から開く向きに撓む。然るに、撓んだ第１キャビネット（１）はアンテナ部（３）に受けられ、それ以上撓み変形しない。これにより、両キャビネット（１）（２）のヒンジ部（４）に過大な負荷は加わらず、ヒンジ部（４）が破損することを防止できる。
【０００６】
【発明の実施の形態】
以下、本発明の一例を図を用いて詳述する。
図１は、開位置にある携帯電話機の斜視図である。従来と同様に、携帯電話機は、通話状態等を表示するディスプレイ（１０）を具えた第１キャビネット（１）と、操作釦（２０）を具えた第２キャビネット（２）とをヒンジ部（４）で接続し、開位置と閉位置との間を回動する。第２キャビネット（２）の底部からは、第１キャビネット（１）に向けてアンテナ部（３）が突出している。第１キャビネット（１）は、アンテナ部（３）に被さる。
図２は、開位置にある携帯電話機の側面図であり、第２キャビネット（２）を机上又は床面に置いている。開位置にて第１キャビネット（１）は第２キャビネット（２）から延びたストッパ（５）に接しており、アンテナ部（３）とは僅かに離れている。
【０００７】
開位置にある両キャビネット（１）（２）を更に開くような荷重が、第１キャビネット（１）に不用意に加わる、具体的には不注意により、第１キャビネット（１）を手で押さえる、又は足で踏むことがある。第１キャビネット（１）は開位置から開く向き、即ち時計方向に撓む。然るに、撓んだ第１キャビネット（１）はアンテナ部（３）に受けられ、それ以上撓み変形できない。これにより、荷重が不用意に加わっても、両キャビネット（１）（２）のヒンジ部（４）に過大な負荷は加わらず、ヒンジ部（４）が破損することを防止できる。
【０００８】
ヒンジ部（４）が破損して、両キャビネット（１）（２）が正しく開閉しないと、以下の不都合が生じる。両キャビネット（１）（２）は通話のときは開位置に保持され、終話、即ち通話を終えたとき及び通話をしないときは、閉位置に保持されていなければならない。然るに、ヒンジ部（４）が破損していると、両キャビネット（１）（２）の開閉動作が正確でないから、開位置又は閉位置に正しく達せず、両キャビネット（１）（２）が中途半端な位置に配備される虞れがある。
【０００９】
更に、斯種携帯電話機には、通話信号受信時に両キャビネット（１）（２）を開位置にすると、自動的に通話可能状態となり、閉位置に戻すと、自動的に通話が遮断される終話状態となるものがある。然るに、両キャビネット（１）（２）の開閉動作が正確でないと、通話と通話遮断が正確に切り換わらない虞れもあり、使用者に対し、不快感を与える。
また、携帯電話機は閉位置にてポケット又は鞄の中に収納されて携帯されることが多い。両キャビネット（１）（２）が閉位置に正確に戻らないと、キャビネット（１）（２）が稍開いてポケット又は鞄の中の他の部品に引掛かり、キャビネット（１）（２）が歪み又は捻れる。この結果、両キャビネット（１）（２）内の電子部品を破損させる虞れがある。上記の理由から、アンテナ部（３）にて第１キャビネット（１）を受け、ヒンジ部（４）の破損を防ぎ、両キャビネット（１）（２）を正確に開閉させている。
【００１０】
出願人は、本例に係わる図２に示す携帯電話機と、従来の図７に示す携帯電話機を、図５に示すように、ヒンジ部（４）の下方を解放した状態で配置した。両キャビネット（１）（２）が開く向きの荷重を上から加え、ヒンジ部（４）が破損する際の荷重を測定した。両キャビネット（１）（２）は、本例及び従来の携帯電話機ともに、ＰＣ（ポリカーボネート）とＡＢＳのアロイ材から形成され、外形寸法は殆ど同じである。
その結果は、本例の携帯電話機ではヒンジ部（４）が破損する荷重が約４０〜１００Ｋｇであったのに対し、従来の携帯電話機では該荷重が約１０〜２０Ｋｇであり、本例の構造がヒンジ部（４）の破損防止に効果があることが判った。
【００１１】
尚、携帯電話には図８に示すように、フリップタイプと呼ばれるものがあり、これは１つのキャビネット（２）上にディスプレイ（１０）と操作釦（２０）を設け、キャビネット（２）の端部に操作釦（２０）を覆う蓋体（９）をヒンジ部（４）で接続している。
出願人はこのようなフリップタイプの携帯電話機にあっては、蓋体（９）のヒンジ部（４）の破損を防ぐために、本例のようにアンテナ部（３）をヒンジ部（４）に近傍に配備する必要はないと考えている。本例にあっては、前記の如く、両キャビネット（１）（２）内の電子部品を破損させる虞れを防ぐことを目的としているが、蓋体（９）内には電子部品がないこと、キャビネット（２）には蓋体（９）の開位置を定めるストッパ（５）がなく、蓋体（９）は開ききった状態から、更に開く向きに簡単に撓むから、ヒンジ部（４）を手厚く保護する必要に乏しいとの理由による。
【００１２】
図２に示すように、第１キャビネット（１）とアンテナ部（３）は先端に向かって互いに広がる向きに配備されている。第１キャビネット（１）とアンテナ部（３）の成す角度θは、約２０度である。図２にあっては、第２キャビネット（２）の底面とアンテナ部（３）が同一面内に配備されているが、アンテナ部（３）が第２キャビネット（２）の底面に対し１０度傾けば、角度θは約３０度である。
これにより、アンテナ部（３）からアンテナを延ばした際に、第１キャビネット（１）との距離をできるだけ長く設け、アンテナ部（３）の周辺を解放することができる。これにより、アンテナ部（３）が第１キャビネット（１）内の電子部品からノイズ等の影響を受けることを防止でき、アンテナ性能を向上できる。
また、第１キャビネット（１）の先端部には、受信器（図示せず）が内蔵され、使用者は開位置にて耳を受信器に当てる。近年、アンテナ部（３）から発生する高周波が人体に与える影響が懸念されているが、アンテナ部（３）と第１キャビネット（１）との距離をできるだけ長く設けることにより、使用者の頭部とアンテナ部（３）を離し、人体に与える影響を緩和できる。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】開位置にある携帯電話機の斜視図である。
【図２】開位置にある携帯電話機の側面図である。
【図３】従来の携帯電話機の側面図である。
【図４】図３の平面図である。
【図５】ヒンジ部の下側を解放して配置した開位置の携帯電話機の側面図である。
【図６】別の従来の携帯電話機の側面図である。
【図７】別の従来の携帯電話機の平面図である。
【図８】フリップタイプの携帯電話機の側面図である。
【符号の説明】
（１）    第１キャビネット
（２）    第２キャビネット
（３）    アンテナ部
（４）    ヒンジ部
（５）    ストッパ
（１０）    ディスプレイ
（２０）    操作釦
【図１】
0003615474.tif 000002
【図２】
0003615474.tif 000003
【図３】
0003615474.tif 000004
【図４】
0003615474.tif 000005
【図５】
0003615474.tif 000006
【図６】
0003615474.tif 000007
【図７】
0003615474.tif 000008
【図８】
0003615474.tif 000009